(57)【要約】【課題】装飾具を取り外しても、携帯電話機などの外観を損なうことなく、且つ装飾具の着脱及び交換を簡単且つ迅速に行うことが可能な装飾具を提供する。【解決手段】本考案にかかる第１の態様は、装飾具として提案される。「装飾具」とは、携帯電話機などユーザが装飾対象とする対象物に取り付けて、対象物の外観の変化を楽しむものをいう。この装飾具は、対象物に取り付けられる基部であって、基部側結合具を有する基部と、前記基部側結合具に着脱可能に結合する装飾部側結合具を有する装飾部とを有することを特徴としている。【選択図】    図４
0003139190.tif 000002
【実用新案登録請求の範囲】
【請求項１】
対象物に取り付けられる基部であって、基部側結合具を有する基部と、
前記基部側結合具に着脱可能に結合する装飾部側結合具を有する装飾部と
を有することを特徴とする装飾具。
【請求項２】
前記基部は、それ自身が装飾物となる形状、模様、色彩の少なくとも一つを有していることを特徴とする請求項１に記載の装飾具。
【請求項３】
前記基部側結合具及び装飾部側結合具は、一方が凸スナップであり他方が凹スナップであることを特徴とする、請求項１又は２に記載の装飾具。
【請求項４】
前記基部側結合具及び装飾部側結合具は、一方がおねじ部品であり他方がめねじ部品であることを特徴とする、請求項１又は２に記載の装飾具。
【請求項５】
紐部と
前記紐部に取り付けられた取付部材と、
前記取付部材に設けられた取付部材側結合具と、
前記取付部材側結合具に着脱可能に結合する装飾部側結合具を有する装飾部と
を有することを特徴とするストラップ。
【請求項６】
前記取付部材は、それ自身が装飾物となる形状、模様、色彩の少なくとも一つを有していることを特徴とする請求項４に記載のストラップ。
【請求項７】
前記装飾部側結合具は、請求項１から請求項４のいずれかに記載の基部側結合具と結合可能であることを特徴とする請求項５又は請求項６に記載のストラップ。
【請求項８】
前記取付部材側結合具及び装飾部側結合具は、一方が凸スナップであり他方が凹スナップであることを特徴とする、請求項５から請求項７のいずれかに記載のストラップ。
【請求項９】
前記取付部材側結合具及び装飾部側結合具は、一方がおねじ部品であり他方がめねじ部品であることを特徴とする、請求項５から請求項７のいずれかに記載のストラップ。
【考案の詳細な説明】
【技術分野】
【０００１】
本考案は、装飾具及びストラップに関し、より詳しくは携帯電話などの対象物に着脱可能及び交換可能に装着できる装飾具及びストラップに関する。
【背景技術】
【０００２】
携帯電話機が広く普及し、大多数の人々が携帯電話を所有するようになるにつれて、各ユーザは個性やオリジナリティを携帯電話機にもたせることを求めるようになってきた。このニーズに応える商品として、携帯電話機の外観に変化をもたせるため、ビーズや模造宝石、模造花などを接着剤や粘着シートにより携帯電話機本体に取り付けて飾ることが行われるようになっている（例えば、非特許文献１）
【０００３】
【非特許文献１】＜インターネット検索＞http://www.holder-mart.com/?gclid=CIykqJaglY8CFRUsagodyT7GeQ  [平成１９年１０月１７日検索]
【考案の開示】
【考案が解決しようとする課題】
【０００４】
しかし、上記の従来の装飾具によれば、装飾用のビーズなどを取り外したとき、接着剤や粘着シートが携帯電話機表面に残るため、外観が汚れた状態となってしまうという問題点がある。そのため、ユーザが装飾具に飽きたなどの理由により、別のものに取り替えたいと思っても、気軽に取り替えることができなかった。
【０００５】
また、取り外した装飾具を他のものに転用することができないため、廃棄せざるをえず無駄となってしまうという問題点もあった。
【０００６】
本考案の目的は、装飾具を取り外しても、携帯電話機などの外観を損なうことなく、且つ装飾具の着脱及び交換を簡単且つ迅速に行うことが可能な装飾具を提供することにある。
【０００７】
本考案の別の目的は、携帯電話機などから取り外した装飾具を、別の装飾品として転用可能な装飾具を提供することにある。
【課題を解決するための手段】
【０００８】
上記課題を解決するための手段として、本考案は以下の特徴を有している。  
本考案にかかる第１の態様は、装飾具として提案される。「装飾具」とは、携帯電話機などユーザが装飾対象とする対象物に取り付けて、対象物の外観の変化を楽しむものをいう。
この装飾具は、対象物に取り付けられる基部であって、基部側結合具を有する基部と、前記基部側結合具に着脱可能に結合する装飾部側結合具を有する装飾部とを有することを特徴としている。
【０００９】
この装飾具によれば、装飾部を交換可能に基部に取り付けることができるため、異なる種類の装飾部を取り付けることにより、対象物の外観を簡易且つ容易に変化させ、またさまざまな外観変化のバリエーションを楽しむことが可能となる。
【００１０】
また、前記基部は、それ自身が装飾物となる形状、模様、色彩の少なくとも一つを有しているようにしてもよい。かかる装飾具によれば、装飾部を取り外した状態でも、対象物の外観を損なうことなく、また装飾部が取り付けられている状態とは異なる概観をユーザが楽しむことも可能となる。
【００１１】
本考案の第２の態様は、ストラップとして提案される。このストラップは、紐部と、前記紐部に取り付けられた取付部材と、前記取付部材に設けられた取付部材側結合具と、前記取付部材側結合具に着脱可能に結合する装飾部側結合具を有する装飾部とを有することを特徴としている。
【００１２】
このストラップによれば、装飾部を交換可能に取付部材に取り付けることができるため、異なる種類の装飾部を取り付けることにより、ストラップの外観を簡易且つ容易に変化させ、またさまざまな外観変化のバリエーションを楽しむことが可能となる。また、ここにいう装飾部は、前記装飾具に用いられる装飾部と共用されるようにしてよい。
【００１３】
また、前記取付部材は、それ自身が装飾物となる形状、模様、色彩の少なくとも一つを有しているようにしてもよい。かかるストラップによれば、装飾部を取り外した状態でも、外観を損なうことなく、また装飾部が取り付けられている状態とは異なる概観をユーザが楽しむことも可能となる。
【００１４】
またさらに、前記装飾部側結合具は、前述の装飾具の基部側結合具と結合可能であるようにしてもよい。これにより、同一の装飾部を基部に取り付けたり、ストラップに取り付けたりして、外観の変化をユーザが自由に楽しむことが可能となる。
【考案の効果】
【００１５】
本考案によれば、携帯電話機を汚すことなく装飾具を随時別の外観を有するものに簡易且つ迅速に交換することができる。
【００１６】
また、本考案の別の態様によれば、携帯電話機の装飾具をストラップに転用して使用することが可能となる。
【考案を実施するための最良の形態】
【００１７】
以下、図面を参照しながら本考案の実施の形態を説明する。  
[１．第１の実施の形態]
図１、図２、及び図３は、本考案の第１の実施の形態にかかる装飾具の一例を示す斜視図である。
本考案の第１の実施の形態にかかる装飾具は、携帯電話機などの対象物に取り付けられる基部と、この基部に対して着脱可能に取り付けられる装飾部とで構成される。図１は、装飾部の一例の上面側を斜め上から見下ろした斜視図であり、図２は、図１に示した装飾部の底面側を斜め上から見下ろした斜視図である。
【００１８】
装飾部１０は、樹脂、布など任意の素材で造形された装飾本体１１と、装飾本体１１に取り付けられた装飾部側結合具１２とで構成されている。
【００１９】
この例では、装飾本体１１は花を模した形状の部品であるが、本考案にかかる装飾本体１１は、このような形状やモチーフに限定される趣旨ではなく、装飾本体１１は宝石、星、月、動物、植物、幾何学形状など装飾効果を有するどのような形状のものであってもよい。また、装飾本体１１の材質もどのようなものであってもかまわない。
【００２０】
装飾部側結合具１２は、後述する基部側結合具と着脱可能に結合する部材であって、例えばスナップボタンの凹スナップ又は凸スナップ、或いはねじ（おねじ部品又はめねじ部品）、ベルクロなどである。装飾部側結合具１２は装飾本体１１の底面に外れないように取り付けられている。
【００２１】
図３は、本考案にかかる装飾具によって装飾される物品である対象物（本実施の形態では携帯電話機を例としてあげる）に基部１３が取り付けられる一例を示した斜視図である。
基部１３は、対象物である携帯電話機２０の表面に、容易に剥離しないように取り付けられる。基部１３は、対象物である携帯電話機２０の表面に取り付けられ、携帯電話機２０の表面に固定される基部本体１４と、基部本体１４の対象物と接する面（以下、裏面と呼ぶ）とは反対の面（以下、表面と呼ぶ）に設けられた基部側結合具１５とで構成される。
【００２２】
基部本体１４は、その裏面に対象物表面に取り付けるための手段、例えば、接着剤層、両面テープなどが設けられている。基部本体１４は、対象物表面の形状に沿って変形するよう、ある程度の柔軟性があることが好ましい。この例では、基部本体１４は対象物表面の形状に沿って湾曲可能な樹脂製の薄板によって形成される。また、基部本体１４は、装飾部１０が取り外された状態でも、対象物の装飾としての役割を果たすことができるような、形状、色彩及び／又は模様を有していることが好ましい。
【００２３】
基部本体１４の略中央には、基部側結合具１５が設けられている。基部側結合具１５は、装飾部側結合具１２と結合することにより、基部１３に装飾部１０を取り付ける役割を有する。例えば、基部側結合具１５は、スナップボタンの凸スナップ又は凹スナップ、或いはねじ（おねじ部品又はめねじ部品）、ベルクロなどである。この実施の形態では、基部側結合具１５はスナップボタンの凸スナップであるが、本考案がこのような構成に限定される趣旨ではなく、基部１３と装飾部１０が着脱可能に取り付けられるものであれば、どのような構造の基部側結合具１５を用いてもかまわない。
【００２４】
また、図３に示すように、複数個の基部１３を対象物である携帯電話機２０に取り付けるようにしてもかまわない。
【００２５】
図４に、図３に示した基部１３に装飾部１０を取り付けた状態の例を示す。装飾部１０を基部１３に取り付けることにより、対象物である携帯電話機２０に装飾が付加されることとなる。装飾部１０は、装飾部側結合具１２を基部側結合具１５と結合させることにより、対象物である携帯電話機２０に取り付けられた基部１３にワンタッチで取り付けられる。また、装飾部１０は、適度な力で引っ張ることにより、装飾部側結合具１２が基部側結合具１５から外れるため、基部１３から取り外すことができる。
【００２６】
[２．第２の実施の形態]
次に、本考案の第２の実施の形態について説明する。本考案の第２の実施の形態は、第１の実施の形態にかかる装飾部１０を取り付け可能なストラップ（主に携帯電話に着ける紛失防止のためのヒモ）として提案される。
【００２７】
図５に、本考案にかかるストラップの分解斜視図を示す。図５に示したストラップ３０は、携帯電話機２０に結びつけるための紐部３３と、紐部３３の一端に取り付けられた金具部３４と、金具部３４に取り付けられた取付部材３１とで構成される。
【００２８】
紐部３３は携帯電話機２０に設けられたストラップ用スリットなどに通して結ぶことにより、ストラップ３０を携帯電話機２０に取り付けるため紐状の素材を環状にしたものである。
【００２９】
金具部３４は、紐部３３と取付部材３１とを連結するための器具などである。
取付部材３１は、装飾部１０の取り付け対象として機能する部材であって、少なくとも一つの結合部材側結合具３２を有している。取付部材側結合具３２は、前述した基部側結合具１５と同様の部材であって、例えば、スナップボタンの凸スナップである。
【００３０】
装飾部１０は、前述した第１の実施の形態における装飾部１０と同様のものである。ただし、図５に示した装飾部１０の形状、デザインは、第１の実施の形態のものとは別のものを示している。
【００３１】
図５に示した取付部材３１は、それ自身が装飾効果を有する形状、ここでは花の形状を有する部材を例示している。装飾部１０を取り付けていない状態であっても、ストラップ３０が装飾効果を発揮できるようにしてもよい。また、取付部材３１は、必ずしも板状でなくともよく、円柱状、角柱状、球状、多面体形状などどのような形状であってもかまわない。
【００３２】
図５に示した取付部材３１は、その両面にそれぞれ取付部材側結合具３２を有しており、両面に装飾部１０を取り付けることが可能となっている。
図６は、ストラップ３０の取付部材３１の両面にそれぞれ別の装飾部１０を取り付けた状態を示す斜視図であり、図７は、図６に示したストラップ３０の裏面（反対面）から見た状態を示す斜視図である。ユーザは取付部材３１に好みのデザインの装飾部１０を選択して取り付けることができ、装飾部１０を交換することによりさまざまなデザインを有するストラップ３０として使用することが可能である。
【００３３】
図８は、図５及び図６に示したストラップ３０を携帯電話機２０に取り付けた状態を示す斜視図である。図９は、図８に示したストラップ３０の裏面（反対面）を上にした状態を示す斜視図である。このような構成とすることにより、見る方向によりデザインが異なるストラップを提供することができる。
【００３４】
なお、図８、図９では携帯電話機２０に第１の実施の形態にかかる基部１３が取り付けられていないが、ストラップ３０と、基部１３及び装飾部１０とからなる装飾具を同時に使用してももちろんかまわない。この場合には、基部１３に取り付けられた装飾部１０と、ストラップ３０の取付部材３１に取り付けられた装飾部１０を入れ替えることにより、デザインの変化を楽しむことが可能となる。
［３．変形例］
上記の第１の実施の形態において、基部１３は基部本体１４と、基部本体１４の裏面表面に設けられた基部側結合具１５とで構成されるとしたが、基部１３を以下のように変形しても本考案は成立する。
図１０は、基部１３の変形例を示す平面図である。変形例にかかる基部１３は、中央に貫通孔を有する基部本体１４と、この貫通孔から突起部を基部本体１４の表面側に突出させる基部側結合部１５とで構成される。基部側結合具１５は、第１の実施の形態のものと同様のものでかまわない。なお、基部側結合具１５は、突起部を基部本体１４表面側に突出させた状態で基部本体１４の裏面側に接着剤などの取り付け手段により取り付けられている。
図１１は、図１０に示した断面線Ａ−Ａ’に沿った断面図である。図１１に示すように、対象物２０の表面に、基部側結合具１５の突起部を除く部分が、基部本体１４によって覆われるような状態で、基部１３が取り付けられるようになっている。
この変形例によれば、装飾部１０が取り外された状態であっても、基部側結合具１５がそのまま露出することがなくなるため、基部１４が取り付けられた状態の対象物２０の外観を損ねないという利点がある。
【図面の簡単な説明】
【００３５】
【図１】装飾部の一例の上面側を斜め上から見下ろした斜視図
【図２】図１に示した装飾部の底面側を斜め上から見下ろした斜視図
【図３】本考案にかかる装飾具によって装飾される物品である対象物に基部が取り付けられる一例を示した斜視図
【図４】図３に示した基部に装飾部を取り付けた例を示す斜視図
【図５】本考案にかかるストラップの分解斜視図
【図６】ストラップの取付部材の両面にそれぞれ別の装飾部を取り付けた状態を示す斜視図
【図７】図６に示したストラップの裏面（反対面）から見た状態を示す斜視図
【図８】図５及び図６に示したストラップを携帯電話機に取り付けた状態を示す斜視図
【図９】図８に示したストラップの裏面（反対面）を上にした状態を示す斜視図
【図１０】変形例にかかる基部の平面図
【図１１】図１０の断面線Ａ−Ａ’に沿った断面図
【符号の説明】
【００３６】
１０    …  装飾部
１２    …  装飾部側結合具
１３    …  基部
１５    …  基部側結合具
３０    …  ストラップ
３１    …  取付部材
３２    …  取付部材側結合具
【図１】
0003139190.tif 000003
【図２】
0003139190.tif 000004
【図３】
0003139190.tif 000005
【図４】
0003139190.tif 000006
【図５】
0003139190.tif 000007
【図６】
0003139190.tif 000008
【図７】
0003139190.tif 000009
【図８】
0003139190.tif 000010
【図９】
0003139190.tif 000011
【図１０】
0003139190.tif 000012
【図１１】
0003139190.tif 000013